(57)【要約】【課題】公衆交換電話網から通話装置に着信があったときに、交換機等からの呼出信号に基づいた着信音と、呼出信号に基づいた光出力部の点滅パターンで報知することができる通話装置を実現することを目的とする。【解決手段】本発明の一態様に係る通話装置は、周期的な呼出信号を受信する受信部と、着信を知らせる着信音を、前記呼出信号に基づいて音出力部から出力させる音制御部と、前記着信を知らせる光を、前記呼出信号に基づいて光出力部から出力させる光制御部と、を備える。【選択図】図２
2020113946.tif 000002
【特許請求の範囲】
【請求項１】
周期的な呼出信号を受信する受信部と、
着信を知らせる着信音を、前記呼出信号に基づいて音出力部から出力させる音制御部と、
前記着信を知らせる光を、前記呼出信号に基づいて光出力部から出力させる光制御部と、
を備えることを特徴とする通話装置。
【請求項２】
前記音制御部は、前記呼出信号の立ち上がりまたは立ち下がりのタイミングの度に前記着信音を出力し、
前記光制御部は、前記呼出信号の立ち上がりまたは立ち下がりのタイミングの度に前記光を出力すること、
を特徴とする請求項１に記載の通話装置。
【請求項３】
前記音制御部は、前記呼出信号の立ち上がりまたは立ち下がりのタイミングに基づいて前記着信音の出力を開始させ、連続して受信する呼出信号の停止に基づいて前記着信音の出力を停止させ、
前記光制御部は、前記呼出信号の立ち上がりまたは立ち下がりのタイミングに基づいて前記光の出力を開始させ、連続して受信する前記呼出信号の停止に基づいて前記光の出力を停止させること、
を特徴とする請求項１に記載の通話装置。
【請求項４】
前記光制御部は、前記呼出信号の立ち上がりまたは立ち下がりのタイミングに基づいて前記光の出力を開始させ、該呼出信号の前記立ち上がりの次の立ち下がりのタイミング前後の所定時間内、または、前記立ち下がりの次の立ち上がりのタイミング前後の所定時間内に前記光の出力を停止させること、
を特徴とする請求項１に記載の通話装置。
【請求項５】
前記通話装置は、前記着信音を含む複数の着信音の種類のうちいずれか１つの種類が選択されたときに、前記選択された種類の着信音を所定の周期に基づいて前記音出力部から出力するとともに、前記光の点滅パターンを含む複数の点滅パターンのうちの前記選択された種類の着信音に対応する点滅パターンを前記所定の周期に基づいて前記光出力部から出力し、前記所定の周期は前記呼出信号が受信される周期と同じ周期であること、
を特徴とする請求項１乃至４のいずれか１項に記載の通話装置。
【請求項６】
前記通話装置は、前記着信音の複数の出力レベルのうちいずれか１つの出力レベルが選択されたときに、前記選択された着信音の出力レベルを所定の周期に基づいて前記音出力部から出力するとともに、前記光の点滅パターンを含む複数の点滅パターンのうちの前記着信音の出力レベルに対応する点滅パターンを前記所定の周期に基づいて前記光出力部から出力し、前記所定の周期は前記呼出信号が受信される周期と同じ周期であること、
を特徴とする請求項１乃至５のいずれか１項に記載の通話装置。
【請求項７】
周期的な呼出信号を受信する受信し、
着信を知らせる着信音を、前記呼出信号に基づいて音出力部から出力し、
前記着信を知らせる光を、前記呼出信号に基づいて光出力部から出力させること、
を特徴とする通話装置の制御方法。
【発明の詳細な説明】
【技術分野】
【０００１】
本発明は、通話装置および通話装置の制御方法に関する。
【背景技術】
【０００２】
例えば、下記特許文献１には、電話機に着信があったときに、電話機に予め用意されたパターンの着信音の音声信号のオンオフに同期して着信ＬＥＤを点灯させることができる技術が開示されている。
【先行技術文献】
【特許文献】
【０００３】
【特許文献１】特開２００５−９４４３０号公報
【発明の概要】
【発明が解決しようとする課題】
【０００４】
公衆交換電話網から通話装置に着信がある場合、通話装置は交換機から周期的な呼出信号を受信する。例えば、日本における公衆交換電話網からの呼出信号は、１秒間のオン期間と２秒間のオフ期間が繰り返される。従来、オン期間とオフ期間とが交互に繰り返される周期的な呼出信号を受信する場合、呼出信号に同期して通話装置の光出力部を発光させることは行われていなかった。
【０００５】
本発明は、例えば、公衆交換電話網から通話装置に着信があったときに、交換機等からの周期的な呼出信号に基づいた着信音と、周期的な呼出信号に基づいた光出力部の光で報知することができる通話装置を実現することを目的とする。
【課題を解決するための手段】
【０００６】
（１）本発明の一態様に係る通話装置は、周期的な呼出信号を受信する受信部と、着信を知らせる着信音を、前記呼出信号に基づいて音出力部から出力させる音制御部と、前記着信を知らせる光を、前記呼出信号に基づいて光出力部から出力させる光制御部と、を備えることを特徴とする。
【０００７】
（２）本発明の一態様に係る通話装置の制御方法は、周期的な呼出信号を受信する受信し、着信を知らせる着信音を、前記呼出信号に基づいて音出力部から出力し、前記着信を知らせる光を、前記呼出信号に基づいて光出力部から出力させること、を特徴とする。
【図面の簡単な説明】
【０００８】
【図１】本発明の実施の形態１に係る通話装置１００の一例を示す外観図である。
【図２】本発明の実施の形態１に係る通話装置１００の機能的構成の一例を示す図である。
【図３】本発明の実施の形態１に係るデータテーブル２３１の構成の一例を示す図である。
【図４】本発明の実施の形態１に係る通話装置１００による、着信音と光の出力タイミングを示す図である。
【図５】本発明の実施の形態１に係る通話装置１００による、着信音と光の出力タイミングを示す図である。
【図６】本発明の実施の形態１の変形例に係る通話装置１００による、着信音と光の出力タイミングを示す図である。
【図７】本発明の実施の形態２に係る通話装置１００による、着信音と光の出力タイミングを示す図である。
【図８】本発明の実施の形態２の変形例に係る通話装置１００による、着信音と光の出力タイミングを示す図である。
【図９】本発明の実施の形態１に係る通話装置１００の着信音と光の種類を設定する設定モードにおいて、設定可能な着信音と光の種類との関係の一例を示す図である。
【発明を実施するための形態】
【０００９】
（実施の形態１）
以下、本発明の実施の形態１について、図面を参照しつつ説明する。なお、図面については、同一又は同等の要素には同一の符号を付し、重複する説明は省略する。
【００１０】
図１は、本発明の実施の形態１に係る通話装置１００の一例を示す外観図である。
【００１１】
図１に示すように、通話装置１００は、例えば、音出力部１０１、光出力部１０２、受話器１０３、表示部１０４、およびキー入力部１０５を有する。
【００１２】
通話装置１００は、例えば、他の通話装置（発信側）との通話が可能な装置であって、具体的には、電話機である。通話装置１００は、他の通話装置からの着信を受けて、着信を知らせる着信音を音出力部１０１から出力する。音出力部１０１は、例えば、スピーカである。通話装置１００は、具体的には、着信があることを示す呼出信号に基づき着信音を音出力部１０１から出力する。また、通話装置１００は、受話器１０３が備えるスピーカ（図示なし）から着信音を出力してもよい。ここで、他の通話装置は、音声データを含む各種データが通信できる装置であればよい。
【００１３】
さらに、通話装置１００は、例えば、着信音を音出力部１０１から出力しているときに、着信音の種類に応じた点滅パターンの光を光出力部１０２から出力する。通話装置１００は、具体的には、着信があることを示す呼出信号の受信に基づき、着信音に対応する点滅パターンの光を光出力部１０２から出力する。ここで、光出力部１０２は、例えば、少なくとも１つのＬＥＤ等から構成されるものであるが、液晶ディスプレイや有機ＥＬディスプレイであっても構わない。さらに、通話装置１００は、着信音の種類に応じた点滅パターンで表示部１０４の点灯部（バックライト等）を点滅または点灯させても構わない。
【００１４】
さらに、ユーザが、他の通話装置からの着信中に、受話器１０３を上げると、発信側の他の通話装置との回線が接続される。そして、通話装置１００は、ユーザの音声を受話器１０３のマイク（図示なし）から入力し、発信側の音声を受話器１０３のスピーカから出力することにより、発信側の他の通話装置との通話を行う。
【００１５】
さらに、通話装置１００は、発信側の他の通話装置の電話番号や、キー入力部１０５から入力された電話番号等を表示部１０４に表示する。表示部１０４は、文字や数字を表示可能な表示媒体であり、例えば、液晶ディスプレイや有機ＥＬディスプレイ等である。
【００１６】
ここで、通話装置１００は、図１に示すような電話回線から直接接続される単体の親機だけでなく、親機を介して接続される子機（図示なし）を含んでも構わない。さらに、親機と子機は、いずれの装置も光出力部１０２を有していてもよいし、また、親機と子機のいずれか一方の装置が光出力部１０２を有していてもよい。
【００１７】
図２は、本発明の実施の形態１に係る通話装置１００の機能的構成の一例を示す図である。図２を参照して、通話装置１００の機能的構成を説明する。
【００１８】
図２に示すように、本発明の実施の形態１に係る通話装置１００は、通信部２１０、制御部２２０、記憶部２３０、出力部２４０、および入力部２５０を有する。
【００１９】
通話装置１００は、例えば、公衆交換電話網等の電話網２０１を介して、他の通話装置と通話可能な装置である。ここで、電話網２０１は、例えば、電話回線を交換機で接続し、装置間の通信を可能にする通信網のことである。
【００２０】
入力部２５０は、例えば、入力されたキーのキー情報や通話の音声データを制御部２２０に送信する。入力部２５０は、例えば、図２に示すように、キー入力部１０５と音声入力部２５１を含む。キー入力部１０５は、例えば、通話装置１００が備える番号キーや各種機能を起動するキーを含む各種のキーである。音声入力部２５１は、例えば、受話器１０３が備えるマイクである。音声入力部２５１は、例えば、受話器１０３が上げられたときに入力された通話等の音声データを制御部２２０に送信する。
【００２１】
通信部２１０は、例えば、電話網２０１を介して他の通話装置と通信するためのものである。通信部２１０は、電話網２０１からの信号を受信し、受信した信号を通話装置１００での処理に適した形式に変換し、通話装置１００内の各部に送信する。また、通信部２１０は、通話装置１００の各部からの信号を、電話網２０１の送信に適した形式に変換して、電話網２０１に送信する。通信部２１０は、具体的には、電話網２０１側の交換機等から呼出信号や応答信号等の各種信号や、発信側の音声データや発信側の電話番号等の発信側のデータを受信する。また、通信部２１０は、具体的には、通話装置１００の音声入力部２５１から入力された音声データを、電話網２０１を介して発信側の他の通話装置に送信する。通信部２１０は、例えば、図２に示すように、電話網２０１からの信号を受信する信号受信部２１１を含む。
【００２２】
ここで、通信部２１０は、具体的には、呼出信号等の信号を交換機から受信する。また、通信部２１０は、交換機からではなく、携帯電話等の無線通信の回線を通じて交換機と接続されている通信装置（ルータ等）から信号を受信してもよい。通信装置は、例えば、他の通話装置からの発呼があったことを交換機から受けて、本来、交換機から送信される呼出信号等の各種信号を、通信装置が通話装置１００に送信する。また、通信装置は、交換機から送信される呼出信号等の各種信号を、通信装置が生成し、通信装置が通話装置１００に送信してもよい。そして、通信部２１０は、通信装置から有線または無線で各種信号を受信する。
【００２３】
信号受信部２１１は、例えば、発信側の他の通話装置からの着信を示す周期的な呼出信号（以下、ＩＲ信号とも呼ぶ）等の各種信号を電話網２０１から受信する。
【００２４】
呼出信号は、例えば、所定周波数（例えば、１６Ｈｚ等）の信号を受信している期間を示すオン期間と、信号を受信していない期間を示すオフ期間とで構成される。つまり、呼出信号の立ち上がりから該呼出信号の立ち下がりまでの期間が、オン期間であり、呼出信号の立ち下がりから次の呼出信号の立ち上がりまでの期間が、オフ期間である。ここで、呼出信号は、例えば、呼出信号のオン期間は１秒間で、オフ期間は２秒間である。
【００２５】
ここで、交換機や通信装置（ルータ等）は、地震発生時等の緊急速報の場合は、呼出信号を、上記の所定の周期よりも速い周期で通話装置１００に送信してもよい。また、他の通話装置が緊急の電話であることを示す情報を付加して通話装置１００に対し発呼すると、発呼を受けた交換機や通信装置は、速い周期の呼出信号を通話装置１００に送信してもよい。
【００２６】
また、呼出信号は、所定のタイミングとなったときに、交換機等からの送信が停止される。ここで、所定のタイミングは、例えば、通話装置１００と発信側の他の通話装置との回線が接続されるタイミング、または、他の通話装置からの呼び出しが停止されるタイミングである。回線が接続されるタイミングは、例えば、通話装置１００の受話器１０３が上げられたときや、受話器１０３を上げずに、自動的に、留守番電話機能が起動したときなどの様々なタイミングを含む。
【００２７】
信号受信部２１１は、発信側からの１回の着信に対し、電話網２０１（交換機）から周期的に送信される複数の呼出信号を受信する。つまり、信号受信部２１１は、発信側からの１回の着信に対し、呼出信号を繰り返し受信することで複数の呼出信号を受信する。つまり、信号受信部２１１は、電話網２０１から所定の周期で送信されるオン期間とオフ期間をそれぞれ含む複数の呼出信号を受信する。また、信号受信部２１１は、呼出信号を受信したことを、音制御部２２１、光制御部２２５に通知する。
【００２８】
制御部２２０は、例えば、記憶部２３０に格納される制御プログラムに従って各種の情報処理を実行する。ここで、この制御プログラムは、電話網２０１やネットワーク（図示なし）を介してダウンロードされて、記憶部２３０に格納されても良い。制御部２２０は、例えば、ＣＰＵ（Central Processing Unit）等のプロセッサであり、プロセッサは上述の制御プログラムを実行することにより、制御部２２０として動作する。
【００２９】
記憶部２３０は、例えば、制御部２２０によって実行される制御プログラムや、制御プログラムの実行により生成されたデータや外部から取得したデータなど、通話装置１００の各種の情報処理に必要となる情報を記憶する。
【００３０】
図３は、本発明の実施の形態１に係るデータテーブル２３１の構成の一例を示す図である。記憶部２３０は、具体的には、例えば、図３に示すようなデータテーブル２３１と着信音設定データ２３２を記憶する。記憶部２３０は、例えば、ＲＡＭ（Ｒａｎｄｏｍ  Ａｃｃｅｓｓ  Ｍｅｍｏｒｙ）等により実現可能である。
【００３１】
データテーブル２３１は、着信音の各種の音データと、光出力部１０２の点滅パターンを示す光データとが対応付けられて記憶されている。データテーブル２３１は、具体的には、例えば、図３に示すように、リンガー音１と点滅パターン１、メロディ音１と点滅パターン１１とが対応付けて記憶されている。データテーブル２３１は、例えば、異なる着信音に対し同じ点滅パターンが対応付けて記憶されていても良い。また、データテーブル２３１は、電話網２０１やネットワーク（図示なし）を介して取得しても構わない。また、着信音の各種の音データには、例えば、リンガー音かメロディ音かの着信音の種別を示す種別情報が含まれている。具体的には、例えば、リンガー音１〜３の音データにそれぞれ含まれる種別情報はリンガー音であることを示す。具体的には、例えば、メロディ音１〜２の音データにそれぞれ含まれる種別情報はメロディ音であることを示す。また、データテーブル２３１は、着信音の各種の音データに対応付けて、各種の音データがリンガー音であるかメロディ音であるかを示す種別情報が記憶されていてもよい。また、さらに、データテーブル２３１は、着信音の各種の音データに対応付けて、各種の音データの出力レベル（音量）が記憶されている。また、データテーブル２３１は、各種の光データに対応付けて、各種の光データの出力レベル（輝度）が記憶されている。
【００３２】
着信音設定データ２３２には、発信側からの着信時に出力する着信音の種類が記憶されている。着信音設定データ２３２は、具体的には、図３に示すように、発信側からの着信時に出力する着信音として、メロディ音１が記憶されている。ここで、記憶部２３０は、発信側の他の通話装置に応じて異なる着信音を出力するために、発信側の他の通話装置を特定する名前または電話番号と、着信音の種類とを対応付けた電話帳データ（図示なし）を記憶してもよい。尚、着信音設定データ２３２は、例えば、予めデフォルトの着信音の種類が設定されているか、または、ユーザにより設定されている。また、後述の着信したときに出力する着信音と光を設定する設定モードにおいて、発信側からの着信時に出力する着信音の設定が可能である。また、着信音設定データ２３２は、着信音と光を設定する設定モードにおいて設定された着信音と光の点滅パターンを対応付けて記憶してもよい。
【００３３】
ここで、着信音は、呼出信号の周期と同期する音（以下、リンガー音とも呼ぶ）や、呼出信号の周期と同期しない音（以下、メロディ音とも呼ぶ）を含む。
【００３４】
リンガー音は、例えば、呼出信号の受信の度に音出力部から１０１から出力される着信音である。つまり、リンガー音は、呼出信号のオン期間とオフ期間と同期して、オン期間中に音出力部から１０１から出力され、オフ期間中に出力が停止されることを繰り返す着信音である。通話装置１００は、例えば、リンガー音を出力する場合、呼出信号のオン期間の間「ＰｕＲｕｒｕｒｕｒｕｒｕ（プルルルルル）」という着信音を出力する。そして、通話装置１００は、オフ期間の開始から次のオン期間の開始までのオフ期間中は、着信音の出力を停止する。通話装置１００は、複数種類のリンガー音の着信音を備えていて、例えば、「ＰｕＲｕｒｕｒｕｒｕｒｕ（プルルルルル）」だけでなく「ＰｏＲｏｒｏ（ポロロ）」を備えている。図３のデータテーブル２３１に記憶されたリンガー音１〜３は、リンガー音の一例である。
【００３５】
メロディ音は、連続する一連の音である連続音で構成される着信音である。メロディ音は、リンガー音とは異なり、呼出信号のオン期間とオフ期間に非同期に着信音の出力と停止が行われる着信音である。図３のデータテーブル２３１に記憶されたメロディ音１，２は、それぞれメロディ音の一例である。
【００３６】
ここで、光出力部１０２から出力される光の光データについて説明する。光データは、例えば、点滅パターンであり、通話装置１００は、光出力部１０２に電圧を加えて点灯させる区間の時間と電圧を加えないで消灯させる区間の時間を示すデータをデータテーブル２３１に記憶している。そして、通話装置１００は、この点灯と消灯の区間の時間に基づいて、光出力部１０２の点灯と非点灯を繰り返し、点滅を行う。さらに、通話装置１００は、点灯する区間の時間と消灯する区間の時間の組み合わせを変えた複数種類の点滅パターンをデータテーブル２３１に記憶している。そして、通話装置１００は、各種の着信音に対応して各種の点滅パターンをデータテーブル２３１に記憶している。ここで、点滅パターンは、点滅ではなく、一定時間継続して点灯させるデータであってもよい。また、点滅パターンは、点灯の区間の度に色を変えるデータであってもよい。さらに、光出力部１０２が複数のＬＥＤ等で構成される場合は、点滅パターンは、各ＬＥＤの点灯する順番や、各ＬＥＤを点灯させる時間や、いずれのＬＥＤを点灯させるかを示すデータであっても構わない。また、点滅パターンは、光出力部１０２の出力レベル（輝度）を有していて、ある点滅パターンの出力レベルは他の点滅パターンの出力レベルと異なる出力レベルであってもよい。
【００３７】
図２に戻り通話装置１００の説明を続ける。
【００３８】
制御部２２０は、例えば、図２に示すように、音制御部２２１と光制御部２２５を含む。
【００３９】
音制御部２２１は、例えば、通話装置１００の音声の入出力に関する制御を行う。音制御部２２１は、例えば、着信を知らせる着信音を、呼出信号に基づいて音出力部１０１から出力させる。音制御部２２１は、例えば、図２に示すように、音データ取得部２２２と音出力制御部２２３を含む。
【００４０】
音制御部２２１は、例えば、具体的には、発信側からの着信を示す呼出信号を信号受信部２１１が受信したという通知を信号受信部２１１から受け、音データ取得部２２２に着信音を取得させる。そして、音制御部２２１は、音データ取得部２２２が取得した着信音を、音出力制御部２２３に、呼出信号に基づいて音出力部１０１から出力させる。また、音制御部２２１は、取得された着信音の種類および取得された着信音の種別を示す判定結果を光制御部２２５に通知する。また、音制御部２２１は、光制御部２２５が光出力部１０２から出力させる光の点滅パターンの種類を、光制御部２２５から受け取り、点滅パターンの種類に応じた、着信音を音出力部１０１から出力させてもよい。
【００４１】
音データ取得部２２２は、例えば、信号受信部２１１が呼出信号を受信したときに、着信音設定データ２３２に記憶されている着信音の種類を取得し、取得した着信音の種類に応じた着信音の音データを、データテーブル２３１から取得する。ここで、音データ取得部２２２は、信号受信部２１１により受信された呼出信号が１回の着信に対する最初に受信した呼出信号である場合に、着信音設定データ２３２に記憶されている着信音の種類を取得し、その着信音の種類に対応する音データをデータテーブル２３１から取得する。音データ取得部２２２は、次の周期の呼出信号を受信したときは、最初の呼出信号の受信時に取得した着信音を使用する。さらに、音データ取得部２２２は、通信部２１０が受信した発信側の電話番号が、記憶部２３０の電話帳データに存在する場合は、電話帳データに記憶された発信側の電話番号に対応した着信音の種類を取得し、その着信音の種類に応じた着信音の音データを、データテーブル２３１から取得しても構わない。
【００４２】
音出力制御部２２３は、例えば、音データ取得部２２２により取得された音データに含まれる種別情報から、取得した着信音の種別、すなわち着信したときに出力する着信音の種別がリンガー音であるかメロディ音であるか判定する。音出力制御部２２３は、取得された着信音の種類および取得された着信音の種別を示す判定結果を光制御部２２５に通知する。また、着信したときに出力する着信音の種別がリンガー音であるかメロディ音であるか判定は、音データ取得部２２２が行っても構わない。
【００４３】
音出力制御部２２３は、例えば、音データ取得部２２２により取得された着信音の種類が、リンガー音１〜３のいずれかであり、音データ取得部２２２により取得された着信音の種別がリンガー音であると判定された場合、呼出信号に同期して、着信音を音出力部１０１から出力させる。つまり、音出力制御部２２３は、例えば、信号受信部２１１による呼出信号の受信の度に、着信音を音出力部１０１から出力させる。例えば、音出力制御部２２３は、さらに具体的には、呼出信号のオン期間中は音出力部１０１から着信音を出力し、呼出信号のオフ期間中は音出力部１０１から着信音の出力を停止する。
【００４４】
また、音出力制御部２２３は、例えば、着信音の種類がリンガー音の場合は、信号受信部２１１による呼出信号の立ち上がりまたは立ち下がりのタイミングの度に、着信音を音出力部１０１から出力させる。つまり、音出力制御部２２３は、上記した呼出信号の受信の度（呼出信号の立ち上がりのタイミングの度）だけでなく、呼出信号の立ち下がりのタイミングの度に、着信音を音出力部１０１から出力させてもよい。例えば、音出力制御部２２３は、さらに具体的には、呼出信号のオフ期間中は音出力部１０１から着信音を出力し、呼出信号のオン期間中は音出力部１０１から着信音の出力を停止する。
【００４５】
さらに、音出力制御部２２３は、例えば、音データ取得部２２２により取得された着信音の種類が、メロディ音１または２であり、音データ取得部２２２により取得された着信音の種別がメロディ音であると判定された場合、呼出信号に非同期に、着信音を音出力部１０１から出力させる。つまり、音出力制御部２２３は、例えば、信号受信部２１１による呼出信号の受信に基づいて着信音の出力を開始させ、連続して受信する呼出信号の停止に基づいて着信音の出力を停止させる。例えば、音出力制御部２２３は、さらに具体的には、１回の着信に対して連続して受信する呼出信号のうちの最初の呼出信号を受信したときに音出力部１０１からの着信音の出力を開始し、呼出信号のオン期間中とオフ期間中も出力していた着信音を継続して出力する。そして、音出力制御部２２３は、所定の周期の呼出信号が、オン期間中の最後の呼出信号を受信してから所定の周期が経過しても受信されなかったことに応じて着信音の出力を停止する。
【００４６】
また、音出力制御部２２３は、例えば、着信音の種類がメロディ音の場合は、信号受信部２１１による呼出信号の立ち上がりまたは立ち下がりのタイミングに基づいて、着信音の音出力部１０１からの出力を開始する。つまり、音出力制御部２２３は、上記した呼出信号の受信（呼出信号の立ち上がりのタイミング）に基づいてだけでなく、立ち下がりのタイミングに基づいて、着信音の音出力部１０１からの出力を開始してもよい。
【００４７】
光制御部２２５は、例えば、通話装置１００の光の出力に関する制御を行う。光制御部２２５は、例えば、着信を知らせる光を、呼出信号に基づいて光出力部１０２から出力させる。光制御部２２５は、例えば、図２に示すように、光データ取得部２２６と光出力制御部２２７を含む。
【００４８】
光制御部２２５は、例えば、具体的には、発信側の着信を示す呼出信号を信号受信部２１１が受信したという通知を受け、光データ取得部２２６に光データを取得させる。また、光制御部２２５は、取得された着信音の種類および取得された着信音の種別を示す判定結果の通知を音制御部２２１から受け取る。そして、光制御部２２５は、光データ取得部２２６が取得した光データの光を、光出力制御部２２７に、呼出信号に基づいて光出力部１０２から出力させる。また、光制御部２２５は、光出力部１０２から出力させる光の点滅パターンの種類を、音制御部２２１に通知してもよい。
【００４９】
光データ取得部２２６は、例えば、信号受信部２１１が呼出信号を受信したときに、音データ取得部２２２により取得された着信音に対応する点滅パターンをデータテーブル２３１から取得する。ここで、光データ取得部２２６は、信号受信部２１１により受信された呼出信号が１回の着信に対する最初に受信した呼出信号である場合に、データテーブル２３１から点滅パターンを取得する。光データ取得部２２６は、次の周期の呼出信号を受信したときは、最初の呼出信号の受信時に取得した点滅パターンを使用する。
【００５０】
光出力制御部２２７は、例えば、音データ取得部２２２により取得された着信音の種類が、リンガー音１〜３のいずれかであり、音データ取得部２２２により取得された着信音の種別がリンガー音であると判定された場合、呼出信号に同期して、光データ取得部２２６により取得された点滅パターンの光を光出力部１０２から出力させる。つまり、光出力制御部２２７は、例えば、信号受信部２１１による呼出信号の受信の度に、着信音に対応する点滅パターンの光を光出力部１０２から出力させる。例えば、光出力制御部２２７は、さらに具体的には、呼出信号のオン期間中は光出力部１０２から着信音に対応する点滅パターンの光を出力し、呼出信号のオフ期間中は光出力部１０２からの光の出力を停止する。尚、音データ取得部２２２により取得された着信音の種類および着信音の種別を示す判定結果は、例えば、上述のように音出力制御部２２３または音データ取得部２２２から通知される。
【００５１】
また、光出力制御部２２７は、例えば、着信音の種類がリンガー音の場合は、信号受信部２１１による呼出信号の立ち上がりまたは立ち下がりのタイミングの度に、着信音に対応する点滅パターンの光を光出力部１０２から出力させる。つまり、光出力制御部２２７は、上記した呼出信号の受信の度（呼出信号の立ち上がりのタイミングの度）だけでなく、呼出信号の立ち下がりのタイミングの度に、着信音に対応する点滅パターンの光を光出力部１０２から出力させてもよい。例えば、光出力制御部２２７は、さらに具体的には、呼出信号のオフ期間中は光出力部１０２から光を出力し、呼出信号のオン期間中は光出力部１０２からの光の出力を停止する。
【００５２】
つまり、着信音の種別が呼出信号に同期するリンガー音である場合、光出力制御部２２７は、呼出信号に同期した点滅パターンで光出力部１０２から光を出力することにより、リンガー音と光とを同期して出力することができる。これにより、リンガー音に合った点滅パターンで光出力部１０２から光を出力できるので、ユーザの視認性が向上する。
【００５３】
また、光出力制御部２２７は、例えば、着信音の種別がリンガー音である場合、呼出信号の受信に基づいて光出力部１０２からの光の出力を開始させ、呼出信号の受信が終わってから次の呼出信号を受信するまでの所定時間以内に光出力部１０２からの光の出力を停止させてもよい。また、光出力制御部２２７は、例えば、呼出信号の受信が終わる所定時間前に、光出力部１０２からの光の出力を停止させてもよい。つまり、光出力制御部２２７は、例えば、着信音の種別がリンガー音である場合、呼出信号の立ち上がりまたは立ち下がりのタイミングに基づいて光出力部１０２からからの光の出力を開始させ、該呼出信号の立ち上がりの次の立ち下がりのタイミング前後の所定時間内、または、該呼出信号の立ち下がりの次の立ち上がりのタイミング前後の所定時間内に光出力部１０２からの光の出力を停止させる。これにより、光出力部１０２から出力する点滅パターンが途中で途切れることなく、切りの良いところで点滅パターンを終わらせることができ、ユーザの違和感が低減し、ユーザの視認性がより向上する。詳細は後述の図６にて説明する。
【００５４】
ここで、呼出信号に同期して、着信音と光の出力を行うことによる効果を説明する。呼出信号について、国により呼出信号のオン期間とオフ期間が異なる。例えば、日本では、呼出信号のオン期間は１秒間、オフ期間は２秒間であり、アメリカでは、オン期間が２秒間、オフ期間が４秒間である。つまり、国により呼出信号の周期とオン期間とオフ期間の時間が異なり、その各国で異なる呼出信号に同期することにより、各国のユーザが聞き慣れている着信音のオンとオフのリズムに対応した光の出力を行うことができる。これにより、各国においても、ユーザの視認性が向上する。また、緊急時に交換機等から送信される呼出信号が速い周期で送信されてくる場合は、その速い周期に応じて、着信音と光の出力を行うので、ユーザは通常と異なるタイミングでの着信音と光の出力を見れば、緊急性を把握し易くなる。
【００５５】
光出力制御部２２７は、例えば、音データ取得部２２２により取得された着信音が、メロディ音１または２であり、音データ取得部２２２により取得された着信音の種別がメロディ音であると判定された場合、呼出信号に非同期に、光データ取得部２２６により取得された点滅パターンの光を光出力部１０２から出力させる。つまり、光出力制御部２２７は、例えば、信号受信部２１１による呼出信号の受信に基づいて光出力部１０２からの光の出力を開始させ、連続して受信する呼出信号の停止に基づいて光出力部１０２からの光の出力を停止させる。例えば、光出力制御部２２７は、さらに具体的には、最初の呼出信号を受信したときに、光出力部１０２からの光の出力を開始し、所定の周期の呼出信号が、オン期間中の最後の呼出信号を受信してから所定の周期が経過しても受信されなかったことに応じて光の出力を停止する。ここで、光出力制御部２２７は、任意のタイミングで光出力部１０２からの光の出力の出力と出力の停止を行ってもよいし、一部のオン期間または一部のオフ期間と同期して光の出力の出力と出力の停止を行ってもよい。つまり、光出力制御部２２７は、メロディ音に合ったタイミングで、光出力部１０２からの光の出力と出力の停止を行うことができる。尚、音データ取得部２２２により取得された着信音の種類および着信音の種別は、例えば、上述のように音出力制御部２２３または音データ取得部２２２から通知される。
【００５６】
また、光出力制御部２２７は、例えば、着信音の種別がメロディ音である場合、１回の着信に対する最初の呼出信号を受信したときに限らず、最初の呼出信号の次の呼出信号を受信したときや、最初の呼出信号を受信したときから所定時間が経過したときに、光出力部１０２からの光の出力を開始しても構わない。
【００５７】
また、光出力制御部２２７は、例えば、着信音の種別がメロディ音である場合、呼出信号の１回の着信に対するいずれかの呼出信号の立ち上がりまたは立ち下がりのタイミングに基づいて、光出力部１０２からからの光の出力を開始してもよい。
【００５８】
つまり、着信音の種別が呼出信号に非同期なメロディ音である場合、呼出信号に非同期に、メロディ音に合った点滅パターンで光出力部１０２から光を出力することができる。これにより、呼出信号に同期して頻繁に光出力部１０２から光を出力しないので、ユーザは急かさせることない。また、メロディ音に合った点滅パターンで光を出力するので、ユーザの視認性が向上する。
【００５９】
また、光出力制御部２２７は、例えば、１回の着信に対する呼出信号を受信した回数に応じて、光出力部１０２の光の出力の開始タイミングを決めても良い。光出力制御部２２７は、具体的には、呼出信号を受信した回数が５回目までは、光出力部１０２からの光の出力を行わず、６回目の呼出信号で、光出力部１０２からの光の出力を開始する。これにより、ユーザは、光出力部１０２からの光の出力を見れば、何回目の呼出信号であるかを把握することできる。ここで、呼出信号を受信した回数については、光制御部２２５が、信号受信部２１１から呼出信号を受信する度に回数をカウントすればよい。
【００６０】
また、光出力制御部２２７は、例えば、呼出信号を受信した回数に応じて、光出力部１０２の光の出力の停止タイミングを決めても良い。光出力制御部２２７は、具体的には、呼出信号を受信した回数が５回目まで光出力部１０２からの光の出力を行い、６回目以降出信号では、光出力部１０２からの光の出力を停止しても良い。これにより、ユーザが電話を取ることが出来ない状況であるときに、不要な光の出力を避けることができる。
【００６１】
ここで、光出力制御部２２７は、例えば、上記した呼出信号を受信した回数（呼出信号の立ち上がりの回数）だけでなく、呼出信号の立ち下がりの回数に応じて、光出力部１０２の光の出力の開始タイミングや停止タイミングを決めても良い。
【００６２】
図４は、本発明の実施の形態１に係る通話装置１００による、着信音と光の出力タイミングを示す図である。図４を参照して、通話装置１００の着信音の種別がリンガー音の場合の、着信音と光の出力タイミングについて説明する。
【００６３】
通話装置１００が発信側の他の通話装置から着信を受けたときは、電話網２０１（交換機）から所定の周期で呼出信号を受信する。信号受信部２１１は、具体的には、図４に示すように、オン期間が１秒間、オフ期間が２秒間の呼出信号（ＩＲ信号）を周期的に受信する。そして、着信音として、例えば、リンガー音１または２のようなリンガー音を音出力部１０１から出力するときは、音出力制御部２２３は、図４に示すように、呼出信号のオン期間中に着信音を音出力部１０１から出力し、呼出信号のオフ期間中は着信音の出力を停止する。さらに、光出力制御部２２７は、光データ取得部２２６により取得された着信音に対応する点滅パターンで、呼出信号のオン期間中に光出力部１０２（着信ランプ）から光を出力し、呼出信号のオフ期間中に光出力部１０２からの光の出力を停止する。これにより、通話装置１００は、例えば、着信したときに出力する着信音の種別がリンガー音である場合は、周期的な呼出信号のオン期間とオフ期間に同期して、リンガー音と光の出力を行うことができる。つまり、リンガー音のオンとオフのタイミングと同じタイミングで光の出力のオンとオフを行うので、リンガー音に同期した光の出力を行うことができる。
【００６４】
ここで、図４において、音出力制御部２２３と光出力制御部２２７は、例えば、着信音がリンガー音であった場合、呼出信号のオフ期間中に着信音と光を出力し、呼出信号のオン期間中は着信音と光の出力を停止してもよい。つまり、音出力制御部２２３と光出力制御部２２７は、着信音がリンガー音であった場合、呼出信号の立ち下がりのタイミングで着信音と光を出力し、呼出信号の立ち上がりのタイミングで着信音と光の出力を停止してもよい。
【００６５】
図５は、本発明の実施の形態１に係る通話装置１００による、着信音と光の出力タイミングを示す図である。図５を参照して、通話装置１００の着信音がメロディ音の場合の、着信音と光の出力タイミングについて説明する。
【００６６】
音出力制御部２２３は、着信音として、例えば、メロディ音１または２のようなメロディ音を音出力部１０１から出力するときは、図５に示すように、着信時に呼出信号を最初に受信したタイミングで、音出力部１０１からメロディ音の出力を開始し、メロディ音の出力を継続する。さらに、光出力制御部２２７は、図５に示すように、着信時に呼出信号を最初に受信したタイミングで、光データ取得部２２６により取得されたメロディ音に対応する点滅パターンの光を光出力部１０２（着信ランプ）から出力開始する。そして、光出力制御部２２７は、点滅パターンに応じた任意のタイミングで、光出力部１０２からの光の出力と出力の停止を行う。これにより、通話装置１００は、着信音がメロディ音の場合は、呼出信号のオン期間とオフ期間に非同期にメロディ音と光の出力を行い、メロディ音に合った光の出力を行うことができる。また、音出力制御部２２３は、２回目以降のいずれかの呼出信号を受信したタイミングで音出力部１０１からメロディ音の出力を開始し、メロディ音の出力を継続してもよい。また、光出力制御部２２７は、２回目以降のいずれかの呼出信号を受信したタイミングで光データ取得部２２６により取得されたメロディ音に対応する点滅パターンの光を光出力部１０２（着信ランプ）から出力開始してもよい。
【００６７】
ここで、図５において、音出力制御部２２３は、例えば、着信音の種類がメロディ音の場合は、着信時に呼出信号を最初に受信したタイミング（呼出信号の立ち上がりのタイミング）だけでなく、１回の着信に対するいずれかの呼出信号の立ち上がりまたは立ち下がりのタイミングに基づいて、音出力部１０１から着信音の出力を開始してもよい。また、図５において、光出力制御部２２７は、音出力制御部２２３と同様に、例えば、着信音の種類がメロディ音の場合は、１回の着信に対するいずれかの呼出信号の立ち上がりまたは立ち下がりのタイミングに基づいて、光出力部１０２からメロディ音に対応する点滅パターンの光の出力を開始してもよい。
【００６８】
図６は、本発明の実施の形態１の変形例に係る通話装置１００による、着信音と光の出力タイミングを示す図である。図６を参照して、通話装置１００の着信音がリンガー音のとき、光の出力を停止するタイミングの変形例について説明する。光出力制御部２２７は、図４で説明した光の出力タイミングではなく、以下に説明するような出力タイミングで光の出力を制御してもよい。
【００６９】
音出力制御部２２３は、着信音としてリンガー音を音出力部１０１から出力するときは、図６に示すように、図４と同様に、呼出信号のオン期間中に着信音を音出力部１０１から出力し、呼出信号のオフ期間中は着信音の出力を停止する。そして、光出力制御部２２７は、例えば、図６に示すように、呼出信号の受信に基づいて光の出力を開始させ、呼出信号の受信が終わってから次の呼出信号を受信するまでの所定時間以内に光の出力を停止させる。光出力制御部２２７は、具体的には、呼出信号を受信したときに、一定時間の光の出力期間と一定時間の光の出力の停止期間とを繰り返す点滅パターンにおける光の出力を光出力部１０２から開始する。さらに、光出力制御部２２７は、例えば、一定時間の光の出力期間中に呼出信号の受信が終了（オン期間が終了）する場合は、光出力部１０２からの一定時間の光の出力期間が終了した後に、光の出力を停止する。つまり、光出力制御部２２７は、光出力部１０２からの光の出力を停止するタイミングを、呼出信号の受信が終了（オン期間が終了）するタイミングではなく、点滅パターンにおける一定時間の光の出力期間が終わるタイミングで光の出力を停止する。
【００７０】
ここで、図６において、光出力制御部２２７は、光出力部１０２からの一定時間の光の出力期間が終了するタイミングが、呼出信号の受信の終了（オン期間の終了、または、呼出信号の立ち下がり）のタイミングより前であれば、一定時間の光の出力期間が終了するタイミング、つまり、オン期間が終了するタイミングより前のタイミング、で光の出力を停止してもよい。
【００７１】
これにより、一定時間の点灯と一定時間の非点灯を繰り返す点滅パターンにおいて、一定時間の点灯の途中で点灯を終わらせず、切りの良いところで点灯を終わらせるので、ユーザの違和感を低減させることができ、ユーザの視認性がより向上する。
【００７２】
また、図６において、音出力制御部２２３は、着信音が一定時間の音の出力期間と一定時間の音の出力の停止期間とを繰り返すようなリンガー音の場合、呼出信号の受信の終了（オン期間の終了、または呼出信号の立ち下がり）のタイミングの所定時間前または所定時間後に一定時間の音の出力期間が終わる場合には、一定時間の音の出力期間が終わるタイミングで音出力部１０１からの音の出力を停止してもよい。つまり、音出力制御部２２３は、呼出信号の立ち下がりのタイミングより所定時間前に、音出力部１０１からの音の出力を停止する。また、さらに、音出力制御部２２３は、着信音における一定時間の音の出力期間が終わるタイミングで音出力部１０１からの音の出力を停止したときに、音の出力を停止したことを光出力制御部２２７に通知し、光出力制御部２２７は、当該通知を受信したときに、光出力部１０２からの光の出力を停止してもよい。
【００７３】
これにより、一定時間の音の出力と一定時間の音の停止を繰り返す着信音において、一定時間の音の出力の途中で音の出力を終わらせず、切りの良いところで音の出力を終わらせるとともに、音の出力を終わらせたタイミングで光の出力も終わらせるので、音と光が連動して出力され、ユーザの違和感を低減させることができ、ユーザの視認性がより向上する。
【００７４】
ここで、第１の実施の形態に係る通話装置１００における着信したときに出力する着信音と光の設定方法について説明する。
【００７５】
着信したときに出力する着信音と光の設定をする場合、通話装置１００は、例えば、ユーザによるキー入力部１０５からの入力により、着信したときに出力する着信音と光の種類を設定する設定モードを起動する。尚、通話装置１００は、設定モードを起動したときは、他の通話装置からの着信を受けていないので、交換機等からの呼出信号を受信していない。制御部２２０は、設定モードを起動するとき、データテーブル２３１に記憶されている複数種類の着信音の名称を表示部１０４に表示させる。そして、キー入力部１０５からの入力により、表示されている複数種類の着信音の中から、いずれかの着信音が選択されたとき、音データ取得部２２２は、選択された着信音の種類を取得し、取得した着信音の種類に応じた着信音の音データを、データテーブル２３１から取得する。そして、光データ取得部２２６は、選択された着信音に対応する点滅パターンをデータテーブル２３１から取得する。そして、制御部２２０は、通話装置１００が備えるリアルタイムクロック等に基づき、呼出信号の周期と同様の周期を生成する。例えば、呼出信号の周期を示す周期情報は、予め記憶部２３０に記憶されており、制御部２２０は、当該周期情報とリアルタイムクロック等を用いて、呼出信号の周期と同様の周期を生成する。また、以前に着信したときに受信した呼出信号の周期を通話装置１００が備えるタイマー等で計測し、計測した呼出信号の周期情報を記憶部２３０に記憶しておき、記憶された当該周期情報と同様の周期を、リアルタイムクロック等を用いて生成してもよい。
【００７６】
そして、音出力制御部２２３は、例えば、音データ取得部２２２により取得された着信音の種類が、リンガー音１〜３のいずれかであり、音データ取得部２２２により取得された着信音の種別がリンガー音であると判定された場合、周期情報に基づき生成された周期に同期して、着信音を音出力部１０１から出力させる。そして、光出力制御部２２７は、例えば、音データ取得部２２２により取得された着信音の種類がリンガー音１〜３のいずれかであり、着信音の種別がリンガー音であると判定された場合、着信音が音出力部１０１から出力開始されたタイミングに合わせて、光データ取得部２２６により取得された点滅パターンの光を、光出力部１０２から出力開始させる。そして、光出力制御部２２７は、周期情報に基づき生成された周期に同期して、その点滅パターンの光を光出力部１０２から出力させる。さらに、制御部２２０は、着信音と光が出力されているときに、キー入力部１０５からの入力に基づき、出力されている着信音と光の点滅パターンを、着信設定データ２０２に記憶する。
【００７７】
また、音出力制御部２２３は、例えば、音データ取得部２２２により取得された着信音の種類が、メロディ音１または２であり、音データ取得部２２２により取得された着信音の種別がメロディ音であると判定された場合、周期情報に基づき生成された周期に非同期に、着信音を音出力部１０１から出力させる。そして、光出力制御部２２７は、例えば、音データ取得部２２２により取得された着信音がメロディ音１または２であり、着信音の種別がメロディ音であると判定された場合、着信音が音出力部１０１から出力開始されたタイミングに応じて、光データ取得部２２６により取得された点滅パターンの光を光出力部１０２から出力させる。そして、光出力制御部２２７は、その点滅パターンの光を光出力部１０２から周期情報に基づき生成された周期に非同期に、光出力部１０２から出力させる。さらに、制御部２２０は、上記と同様に、出力されている着信音と光の点滅パターンとを対応付けて、着信設定データ２０２に記憶する。
【００７８】
これにより、例えば、着信音や光の種類を変更する設定モード等において、交換機等から呼出信号を受信していない状態であっても、呼出信号と同じ周期で、着信音と点滅パターンとの動作を再現することで、実際の着信時の音と光の動作をイメージしやすくなる。また、着信音と着信ランプの点滅パターンの設定状態を、別々に確認する手間を省くことができる。
【００７９】
また、着信音と光の種類等を変更する設定モードにおいて、着信音の音量を変更して設定したときに、設定した着信音に応じた光の点滅パターンを出力する方法について、以下に説明する。
【００８０】
通話装置１００は、着信したときに出力する着信音と光の種類を設定する設定モードでは、着信音の出力レベル（音量）や光の出力レベル（輝度など）を設定することも可能である。音出力制御部２２３は、例えば、着信音と光の設定モードで、ユーザによるキー入力部１０５からの入力により、着信音の音量が変更されたとき、周期情報に基づき生成された周期に同期して、変更された音量での着信音を音出力部１０１から出力させる。そして、光出力制御部２２７は、例えば、変更された音量での着信音が、音出力部１０１から出力開始されたタイミングに合わせて、光データ取得部２２６により取得された点滅パターンの光を、光出力部１０２から出力開始させる。そして、光出力制御部２２７は、周期情報に基づき生成された周期に同期して、その点滅パターンの光を光出力部１０２から出力させる。
【００８１】
これにより、例えば、着信音の音量を設定する設定モード等において、交換機等から呼出信号を受信していない状態であっても、呼出信号と同じ周期で、着信音と点滅パターンとの動作を再現できる。つまり、着信時の音量を設定するときに、その音量に適した光の動作であるかどうかを確認することができ、実際の着信時の音量と光の動作をイメージしやすくなる。
【００８２】
また、着信音と光の種類を設定する設定モードにおいて、着信時の光の点滅パターンや光の輝度を変更したときに、変更した光の点滅パターンに対応する着信音を出力する方法について以下に説明する。
【００８３】
光出力制御部２２７は、例えば、着信音と光の設定モードで、ユーザによるキー入力部１０５からの入力により、いずれかの光の点滅パターンが選択されたときや、光の輝度を変更する設定がされたときに、周期情報に基づき生成された周期に対し同期または非同期に、選択された点滅パターン、または、変更された光の輝度の点滅パターンを光出力部１０２から出力する。そして、音出力制御部２２３は、例えば、選択された点滅パターン、または、変更された光の輝度の点滅パターンが光出力部１０２から出力されたタイミングに合わせて、その光の点滅パターンに対応付けられた着信音をデータテーブル２３１から取得し、その着信音を音出力部１０１から出力させる。
【００８４】
つまり、光出力制御部２２７は、選択された光の点滅パターンや、変更された光の輝度の該点滅パターンが、リンガー音に対応付けられたものである場合は、周期情報に基づき生成された周期に同期して、その点滅パターンの光を光出力部１０２から出力させる。そして、音出力制御部２２３は、周期情報に基づき生成された周期に同期して、点滅パターンに対応付けられた着信音を音出力部１０１から出力する。
【００８５】
また、光出力制御部２２７は、選択された光の点滅パターンや、変更された光の輝度の該点滅パターンが、メロディ音に対応付けられたものである場合は、周期情報に基づき生成された周期に非同期に、その点滅パターンの光を光出力部１０２から出力させる。そして、音出力制御部２２３は、周期情報に基づき生成された周期に非同期に、点滅パターンに対応付けられた着信音を音出力部１０１から出力する。
【００８６】
なお、選択された光の点滅パターンを出力するときに、周期情報に基づいた周期に同期させるかどうかは、光の点滅パターンに対応付けられた着信音の種類がリンガー音であるかどうかに応じて決定してもよいし、データテーブル２３１の各種の光データが、呼出信号に同期するかどうかを示す同期情報を有していて、その同期情報に基づき決定してもよい。
【００８７】
これにより、例えば、光の点滅パターンを変更する設定モード等において、交換機等から呼出信号を受信していない状態であっても、実際の着信時の光の点滅パターンに対する着信音の動作を再現でき、設定モードにおいて、ユーザは実際の着信時の動作をイメージしやすくなる。また、光の輝度を設定するときに、その輝度に適した着信音であるかどうかを確認することができ、実際の着信時の光の輝度と着信音の動作をイメージしやすくなる。
【００８８】
図９は、本発明の実施の形態１に係る通話装置１００の着信音と光の種類を設定する設定モードにおいて、設定可能な着信音と光の種類との関係の一例を示す図である。図９を参照して、設定モードにおいて、出力している着信音に対して設定可能な光の点滅パターンの種類について説明する。
【００８９】
光出力制御部２２７は、例えば、設定モードにおいて、音出力制御部２２３によりリンガー音が出力されている場合は、リンガー音に対応づけられた光の点滅パターンの中からいずれか１つの点滅パターンを光出力部１０２から出力する。つまり、図９に示すように、各リンガー音に対しては、点滅パターン１または点滅パターン２の光が出力可能である。具体的には、設定モードにおいて、リンガー音１と、リンガー音１に対応する点滅パターン１の光が出力されている場合に、他の点滅パターンの光を出力（設定）するキー入力部１０５からの指示に基づき、光出力制御部２２７は、他のリンガー音に対応付けられている光の点滅パターンである点滅パターン２の光を出力する。
【００９０】
また、光出力制御部２２７は、例えば、設定モードにおいて、音出力制御部２２３によりメロディ音が出力されている場合は、メロディ音に対応づけられた光の点滅パターンの中からいずれか１つの点滅パターンを光出力部１０２から出力する。つまり、図９に示すように、各メロディ音に対しては、点滅パターン１１または点滅パターン１２の光が出力可能である。具体的には、設定モードにおいて、メロディ音１と、メロディ音１に対応する点滅パターン１１の光が出力されている場合に、他の点滅パターンの光を出力（設定）するキー入力部１０５からの指示に基づき、光出力制御部２２７は、他のメロディ音に対応付けられている点滅パターンである点滅パターン１２の光を出力する。
【００９１】
さらに、音出力制御部２２３により着信音が出力されていない場合、つまり、無音である場合は、光出力制御部２２７は、例えば、リンガー音またはメロディ音に対応づけられた光の点滅パターンの中からいずれか１つの点滅パターンの光を光出力部１０２から出力する。つまり、図９に示すように、無音に対しては、データテーブル２３１に登録されている光の点滅パターンの中のいずれかの光の点滅パターンの光が出力可能である。
【００９２】
そして、制御部２２０は、着信音と光が出力されているときに、キー入力部１０５からの入力に基づき、出力されている着信音と光の点滅パターンとを対応付けて、着信設定データ２０２に記憶する。
【００９３】
これにより、例えば、着信音の種類または光の点滅パターンの種類を変更する設定モード等において、交換機等から呼出信号を受信していない状態であっても、出力している着信音の種類に応じた点滅パターンの光に変更して出力できるので、ユーザは着信時の着信音に対して、より適切な光の点滅パターンを簡単に探し出して設定することができる。
【００９４】
さらに、図９を参照して、設定モードにおいて、光の点滅パターンに対して設定可能な着信音の種類について説明する。
【００９５】
音出力制御部２２３は、例えば、設定モードにおいて、光出力制御部２２７によりリンガー音に対応する光の点滅パターンが出力されている場合は、着信音がリンガー音である着信音の中からいずれか１つの着信音を音出力部１０１から出力する。つまり、図９に示すように、リンガー音に対応する各点滅パターンに対しては、リンガー音１、リンガー音２、またはリンガー音３の着信音が出力可能である。具体的には、リンガー音に対応する点滅パターン１の光と、リンガー音１が出力されている場合に、他の着信音を出力（設定）するキー入力部１０５からの指示に基づき、音出力制御部２２３は、他のリンガー音であるリンガー音２またはリンガー音３を出力する。
【００９６】
また、音出力制御部２２３は、例えば、設定モードにおいて、光出力制御部２２７によりメロディ音に対応する光の点滅パターンが出力されている場合は、着信音がメロディ音である着信音の中からいずれか１つの着信音を音出力部１０１から出力する。つまり、図９に示すように、メロディ音に対応する各点滅パターンに対しては、メロディ音１またはメロディ音２の着信音が出力可能である。具体的には、設定モードにおいて、メロディ音に対応する点滅パターン１１の光と、メロディ音１が出力されている場合に、他の着信音を出力（設定）するキー入力部１０５からの指示に基づき、音出力制御部２２３は、他のメロディ音であるメロディ音２を出力する。
【００９７】
そして、制御部２２０は、上記と同様に、出力されている着信音と光の点滅パターンとを対応付けて、着信設定データ２０２に記憶する。
【００９８】
これにより、例えば、着信音の種類または光の点滅パターンの種類を変更する設定モード等において、交換機等から呼出信号を受信していない状態であっても、出力している光の点滅パターンに応じた着信音に変更して出力できるので、ユーザは着信時の光の点滅パターンに対して、より適切な着信音を簡単に探し出して設定することができる。
【００９９】
（実施の形態２）
以下、本発明の実施の形態２について、図面を参照しつつ説明する。なお、下記において上記実施の形態１と同様である点については説明を省略する。
【０１００】
本発明の実施の形態２は、周期的な呼出信号の受信に基づき、通話装置１００が着信を知らせる音（着信音）や光などの着信通知を出力部２４０から出力するときに、以前の呼出信号に基づき出力した音や光とは異なる状態の音や光などの着信通知を出力するものである。
【０１０１】
図７は、本発明の実施の形態２に係る通話装置１００による、着信音と光の出力レベルを示す図である。図７を参照して、通話装置１００が、呼出信号の回数に応じて、着信音と光の出力レベルを変える場合の変更タイミングについて説明する。着信音と光の出力レベルは、それぞれ着信音の音量の設定値と光出力部１０２から出力される光の強さの設定値を示す。ここで、光の強さは、例えば、光出力部１０２が１つのＬＥＤを有する場合は、１つのＬＥＤ自体の光量であってもよいし、複数のＬＥＤを有する場合は、点灯するＬＥＤの個数を示すものであってもよい。
【０１０２】
尚、実施の形態２の通話装置１００は、例えば、上述の実施の形態１のように、着信したときに出力する着信音の種別がリンガー音である場合は、図４に示すように周期的な呼出信号のオン期間とオフ期間に同期して、リンガー音と光の出力を行う。また、実施の形態２の通話装置１００は、例えば、上述の実施の形態１のように、着信したときに出力する着信音の種別がメロディ音である場合は、図５に示すように呼出信号のオン期間とオフ期間に非同期に、メロディ音と光の出力を行う。音出力制御部２２３は、例えば図４、５に示すような着信音のオン期間中に、設定された現在の着信音の出力レベルの音量の着信音を音出力部１０１から出力させ、光出力制御部２２７は、例えば図４、５に示すような着信ランプのオン期間中に設定された現在の光の出力レベルの強さの光を光出力部１０２から出力させる。尚、実施の形態２において、着信音と光の出力タイミングは、実施の形態１の着信音と光の出力タイミングに限定されるものではない。
【０１０３】
音出力制御部２２３は、例えば、呼出信号の受信の度に、音出力部１０１からの着信音の出力レベルを変更する。音出力制御部２２３は、図７に示すように、呼出信号を受信する度に、つまり各呼出信号のオン期間の始まりのタイミングで、音出力部１０１から出力する着信音の出力レベルを大きくする。具体的には、記憶部２３０は、例えば、現在の音量の出力レベル、音量の出力レベルの初期値（例えば、１）、音量の所定の音量増加値、および音量の出力レベルの設定可能範囲の上限を記憶する。尚、音量の出力レベルの初期値、所定の音量増加値、および音量の出力レベルの設定可能範囲は、予め設定されている。そして、音出力制御部２２３は、例えば、１回の着信に対する最初の呼出信号の呼出信号を受信したときに、音量の出力レベルの初期値を現在の音量の出力レベルに設定する。以降、音出力制御部２２３は、例えば、呼出信号の受信の度、すなわち各呼出信号のオン期間の始まりのタイミングで、現在の音量の出力レベルに所定の音量増加値を加算した値を新たな現在の音量の出力レベルに設定する。尚、音出力制御部２２３は、現在の音量の出力レベルに所定の音量増加値を加算した場合に、音量の出力レベルの設定可能範囲の上限を超える場合は、現在の音量の出力レベルを音量の出力レベルの設定可能範囲の上限に設定する。
【０１０４】
また、音出力制御部２２３は、呼出信号を受信する度に、つまり各呼出信号のオン期間の始まりのタイミングで、音出力部１０１から出力する着信音の出力レベルを小さくしてもよい。この場合、記憶部２３０は、例えば、現在の音量の出力レベル、音量の出力レベルの初期値（例えば、５）、音量の所定の音量減少値、および音量の出力レベルの設定可能範囲の下限を記憶する。そして、音出力制御部２２３は、例えば、１回の着信に対する最初の呼出信号の呼出信号を受信したときに、音量の出力レベルの初期値を現在の音量の出力レベルに設定する。以降、音出力制御部２２３は、例えば、各呼出信号のオン期間の始まりのタイミングで、現在の音量の出力レベルに所定の音量減少値を減算した値を新たな現在の音量の出力レベルに設定する。尚、音出力制御部２２３は、現在の音量の出力レベルに所定の音量減算値を減算した場合に、音量の出力レベルの設定可能範囲の下限を下回る場合は、現在の音量の出力レベルを音量の出力レベルの設定可能範囲の下限に設定する。
【０１０５】
また、記憶部２３０は、例えば、呼出信号の受信回数および所定回数（例えば、２回）をさらに記憶し、音出力制御部２２３は、呼出信号の受信回数をカウントし、呼出信号を所定回数（例えば、２回）受信する度に、音出力部１０１からの着信音の出力レベルを変更（増加または減少）してもよい。ここで、音出力制御部２２３は、具体的には、着信音がリンガー音である場合は、呼出信号のオン期間とオフ期間に同期して、着信音を現在の音量の出力レベルで音出力部１０１から出力し、所定回数の呼出信号を受信したときに、出力レベルを変更した着信音を音出力部１０１から出力する。さらに、音出力制御部２２３は、例えば、呼出信号を受信したときに音出力部１０１から所定の出力レベルの着信音の出力を開始し、次の呼出信号を受信するまで、所定の出力レベルの着信音の出力を継続してもよい。また、音出力制御部２２３は、例えば、着信音がメロディ音である場合は、呼出信号を受信したときに音出力部１０１から所定の出力レベルの着信音の出力を開始し、次の呼出信号を受信するまで、所定の出力レベルの着信音の出力を継続し、所定回数の呼出信号を受信したときに、出力レベルを変更した着信音を音出力部１０１から出力する。
【０１０６】
光出力制御部２２７は、例えば、呼出信号の受信の度に、光出力部１０２からの光の出力レベルを変更する。光出力制御部２２７は、図７に示すように、呼出信号を受信する度に、つまり各呼出信号を受信するオン期間の始まりのタイミングで、光出力部１０２から出力する光の出力レベルを大きくする。具体的には、記憶部２３０は、例えば、現在の光の出力レベル、光の出力レベルの初期値（例えば、１）、光の所定の光増加値、および光の出力レベルの設定可能範囲の上限をさらに記憶する。尚、光の出力レベルの初期値、所定の光増加値、および光の出力レベルの設定可能範囲は、予め設定されている。そして、光出力制御部２２７は、例えば、１回の着信に対する最初の呼出信号の呼出信号を受信したときに、光の出力レベルの初期値を現在の光の出力レベルに設定する。以降、光出力制御部２２７は、例えば、呼出信号の受信の度、すなわち各呼出信号のオン期間の始まりのタイミングで、現在の光の出力レベルに所定の光増加値を加算した値を新たな現在の光の出力レベルに設定する。尚、光出力制御部２２７は、現在の光の出力レベルに所定の光増加値を加算した場合に、光の出力レベルの設定可能範囲の上限を超える場合は、現在の光の出力レベルを光の出力レベルの設定可能範囲の上限に設定する。
【０１０７】
また、光出力制御部２２７は、呼出信号を受信する度に、つまり各呼出信号のオン期間の始まりのタイミングで、光出力部１０２から出力する光の出力レベルを小さくしてもよい。この場合、記憶部２３０は、例えば、現在の光の出力レベル、光の出力レベルの初期値（例えば、５）、光の所定の光減少値、および光の出力レベルの設定可能範囲の下限を記憶する。そして、光出力制御部２２７は、例えば、１回の着信に対する最初の呼出信号の呼出信号を受信したときに、光の出力レベルの初期値を現在の光の出力レベルに設定する。以降、光出力制御部２２７は、例えば、各呼出信号のオン期間の始まりのタイミングで、現在の光の出力レベルに所定の光減少値を減算した値を新たな現在の光の出力レベルに設定する。尚、光出力制御部２２７は、現在の光の出力レベルに所定の光減算値を減算した場合に、光の出力レベルの設定可能範囲の下限を下回る場合は、現在の光の出力レベルを光の出力レベルの設定可能範囲の下限に設定する。
【０１０８】
また、光出力制御部２２７は、例えば、呼出信号の受信回数をカウントし、呼出信号を所定回数（例えば、２回）受信する度に、光出力部１０２からの光の出力レベルを変更（増加または減少）してもよい。ここで、光出力制御部２２７は、具体的には、着信音がリンガー音である場合は、呼出信号のオン期間とオフ期間に同期して、着信音に対応する点滅パターンを現在の光の出力レベルで光出力部１０２から出力し、所定回数の呼出信号を受信したときに、光の出力レベルを変更した点滅パターンで光出力部１０２から出力する。さらに、光出力制御部２２７は、例えば、呼出信号を受信したときに光出力部１０２から所定の出力レベルの光の出力を開始し、次の呼出信号を受信するまで、所定の出力レベルの光の出力を継続してもよい。また、光出力制御部２２７は、例えば、呼出信号の受信の度、または、呼出信号を所定回数受信する度に、光出力部１０２から出力する光の色の種類を変えてもよい。光出力制御部２２７は、例えば、具体的には、呼出信号の受信の度または、呼出信号を所定回数受信する度に、緑色の光と赤色の光を交互に変えてもよい。
【０１０９】
ここで、図７において、音出力制御部２２３と光出力制御部２２７は、上記したように呼出信号を受信したタイミング（呼出信号の立ち上がりのタイミング）に、着信音の出力レベルと光の出力レベルを変更するだけでなく、呼出信号の立ち下がりのタイミングに、着信音の出力レベルと光の出力レベルを変更してもよい。
【０１１０】
これにより、着信に応答していない時間が長くなったときに、ユーザの視認性を向上させ、着信していることをユーザにより早く気付かせることができる。
【０１１１】
図８は、本発明の実施の形態２の変形例に係る通話装置１００による、着信音と光の出力レベルを示す図である。図８を参照して、通話装置１００が呼出信号の回数に応じて、着信音と光の出力レベルの変更タイミングの変形例について説明する。
【０１１２】
音出力制御部２２３は、例えば、呼出信号を受信した回数に応じて、音出力部１０１から出力していた着信音の出力を停止し、光出力制御部２２７は、着信音の出力が停止されたタイミングで、光出力部１０２からの光の出力を開始する。具体的には、記憶部２３０は、例えば、現在の音量の出力レベル、音量の出力レベルの初期値（例えば、０）、所定の音量の音量所定値（但し、音量所定値は０より大きい）、現在の光の出力レベル、光の出力レベルの初期値（例えば、０）、光の所定の出力レベルの光所定値（但し、光所定値は０より大きい）、呼出信号の受信回数、および所定回数（例えば、３回）を記憶する。例えば、音出力制御部２２３は、図８に示すように、１回の着信に対する最初の呼出信号の受信を開始したときに、現在の音量の出力レベルを音量の出力レベルの初期値（例えば、０）から所定の音量所定値に設定する。音出力制御部２２３は、呼出信号を受信する度に回数をカウントし、呼出信号を所定回数（例えば、図８では３回）受信したとき、すなわち呼出信号の受信回数が所定回数になったときに、現在の音量の出力レベルを０にする。そして、光出力制御部２２７は、１回の着信に対する最初の呼出信号の受信を開始したときに、現在の光の出力レベルを光の出力レベルの初期値（例えば、０）に設定し、呼出信号を受信する度に回数をカウントし、呼出信号を所定回数（例えば、図８では３回）受信したとき、すなわち呼出信号の受信回数が所定回数になったときに、現在の光の出力レベルを所定の光所定値に設定する。また、音出力制御部２２３は、呼出信号を所定回数（例えば、図８では３回）受信したときに、呼出信号を所定回数受信したことを光出力制御部２２７に通知し、光出力制御部２２７は、当該通知を受信したときに現在の光の出力レベルを光の出力レベルの初期値（例えば、０）から所定の光所定値に設定してもよい。
【０１１３】
上述のように実施の形態２の変形例に係る通話装置１００の音出力制御部２２３は、例えば、図４、５に示すような着信音のオン期間中且つ音量の出力レベルが０より大きい音量所定値の場合に、音量所定値の音量の着信音を音出力部１０１から出力させる。また、実施の形態２の変形例に係る通話装置１００の光出力制御部２２７は、例えば図４、５に示すような着信ランプのオン期間中且つ出力レベルが０より大きい光所定値の場合に、光所定値の強さの光を光出力部１０２から出力させる。それにより、例えば、図８に示すような出力レベルの変更が行われると、着信音の種別がリンガー音の場合は、図４と同様に最初と２回目の呼出信号のそれぞれのオン期間中に着信音が出力されるが、３回目の以降の呼出信号のオン期間では音量の出力レベルが０なので図４と異なり着信音は出力されない。また、例えば、図８に示すような出力レベルの変更が行われると、着信音の種別がリンガー音の場合は、最初と２回目の呼出信号のそれぞれのオン期間中は光の出力レベルが０なので図４と異なり光が出力されず、３回目の以降の呼出信号のそれぞれのオン期間では図４と同様に光が出力される。
【０１１４】
ここで、図８において、音出力制御部２２３と光出力制御部２２７は、上記した呼出信号を受信した回数（呼出信号の立ち上がりの回数）だけでなく、呼出信号の立ち下がりの回数に応じて、着信音と光の出力レベルを変更してもよい。
【０１１５】
これにより、ユーザが着信に応答できないときに、不要な音の出力を防ぐとともに、引き続き着信中であることを光の出力で通知し、ユーザに着信中であることを認識させることができる。
【０１１６】
また、図８において、音出力制御部２２３は、呼出信号を立ち上がりまたは立ち下がりの回数に応じて、音出力部１０１から出力していた着信音の出力を停止（出力レベル：０）しているが、着信音の出力レベルを下げてもよい。これにより、ユーザが着信に応答できないときに、不要な大きな音の出力を防ぐとともに、引き続き着信中であることを小さな音の出力と光の出力で通知し、ユーザに着信中であることを認識させることができる。
【０１１７】
ここで、呼出信号を受信した回数については、例えば、音制御部２２１が、信号受信部２１１から呼出信号を受信する度（呼出信号の立ち上がりの度）または、呼出信号の立ち下がりの度に回数をカウントし、記憶部２３０に呼出信号を受信した回数を記憶する。また、光制御部２２５が信号受信部２１１から呼出信号を受信する度に回数をカウントし、記憶部２３０に呼出信号を受信した回数を記憶しても構わない。
【０１１８】
また、光出力制御部２２７は、例えば、呼出信号を受信した回数に応じて、光出力部１０２から出力していた光の出力を停止し、音出力制御部２２３は、光の出力が停止されたタイミングで、音出力部１０１からの着信音の出力を開始してもよい。
【０１１９】
これにより、着信したことを光の出力のみで静かにユーザに通知し、ユーザが光に気付かない場合に、着信中であることを光の代わりに音の出力で通知し、ユーザに着信を気付かせ易くすることができる。また、光を見ることが出来ない通話装置から離れたユーザに対して、着信を音で通知することができる。
【０１２０】
以下に、さらに他の変形例について説明する。
【０１２１】
音出力制御部２２３は、例えば、呼出信号を受信した回数に応じて、音出力部１０１からの着信音の出力レベルを低くする。具体的には、記憶部２３０は、例えば、現在の音量の出力レベル、所定の音量の音量所定値（但し、音量所定値は０より大きい）、音量の所定の音量減少値、呼出信号の受信回数、および所定回数（例えば、６回）を記憶する。そして、音出力制御部２２３は、例えば、１回の着信に対する最初の呼出信号の受信を開始したときに、現在の音量の出力レベルを所定の音量所定値に設定する。音出力制御部２２３は、呼出信号を受信する度に回数をカウントし、呼出信号を所定回数（例えば、６回）受信したとき、すなわち呼出信号の受信回数が所定回数になったときに、現在の音量の出力レベルに所定の音量減少値を減算した値を新たな現在の音量の出力レベルに設定する。音出力制御部２２３は、具体的には、例えば、呼出信号を受信した回数が５回目まで、所定の出力レベルの着信音を音出力部１０１から出力し、６回目以降の呼出信号では、所定の出力レベルより低い出力レベルの着信音を音出力部１０１から出力する。
【０１２２】
上述のように実施の形態２の変形例に係る通話装置１００の音出力制御部２２３は、例えば、図４、５に示すような着信音のオン期間中且つ音量の出力レベルが０より大きい音量所定値の場合に、音量所定値の音量の着信音を音出力部１０１から出力させる。それにより、例えば、着信音の種別がリンガー音の場合は、図４と同様に最初から５回目の呼出信号のそれぞれのオン期間中に音量所定値の出力レベルの着信音が出力されるが、６回目以降の呼出信号のオン期間では音量所定値から所定の音量減少値を減算した値の出力レベルの着信音が出力される。また、例えば、着信音の種別がメロディ音の場合は、６回目の呼出信号の受信まで、音量所定値の出力レベルの着信音を継続して出力し、６回目の呼出信号の受信以降は、音量所定値から所定の音量減少値を減算した値の出力レベルの着信音を継続して出力する。
【０１２３】
ここで、音出力制御部２２３は、上記した呼出信号を受信した回数（呼出信号の立ち上がりの回数）だけでなく、呼出信号の立ち下がりの回数に応じて、着信音の出力レベルを変更してもよい。
【０１２４】
これにより、所定回数以上の呼出信号の場合は、着信音の出力レベルを下げるので、ユーザが留守であった場合、留守であることを近所に気づかれることがなく、防犯性を上げることができる。
【０１２５】
光出力制御部２２７は、例えば、呼出信号を受信した回数に応じて、光出力部１０２からの光の出力レベルを低くする。具体的には、記憶部２３０は、例えば、現在の光の出力レベル、光の所定の出力レベルの光所定値（但し、光所定値は０より大きい）、光の所定の光減少値、呼出信号の受信回数、および所定回数（例えば、６回）を記憶する。そして、光出力制御部２２７は、例えば、１回の着信に対する最初の呼出信号の受信を開始したときに、現在の光の出力レベルを所定の光所定値に設定する。光出力制御部２２７は、呼出信号を受信する度に回数をカウントし、呼出信号を所定回数（例えば、６回）受信したとき、すなわち呼出信号の受信回数が所定回数になったときに、現在の光の出力レベルに所定の光減少値を減算した値を新たな現在の光の出力レベルに設定する。また、音出力制御部２２３は、呼出信号を所定回数（例えば、６回）受信したときに、呼出信号を所定回数受信したことを光出力制御部２２７に通知し、光出力制御部２２７は、当該通知を受信したときに現在の光の出力レベルを所定の光所定値から所定の光減少値を減算した値の出力レベルに設定してもよい。
【０１２６】
光出力制御部２２７は、具体的には、例えば、呼出信号を受信した回数が５回目まで、所定の出力レベルの光を光出力部１０２から出力し、６回目の呼出信号で着信音の出力レベルが低くなったことに応じて、所定の出力レベルより低い出力レベルの光を光出力部１０２から出力する。つまり、光出力制御部２２７は、例えば、音出力制御部２２３が音出力部１０１からの着信音の出力を低い出力レベルに変えたタイミングに同期して、光出力部１０２からの光の出力レベルを変更する。
【０１２７】
ここで、光出力制御部２２７は、上記した呼出信号を受信した回数（呼出信号の立ち上がりの回数）だけでなく、呼出信号の立ち下がりの回数に応じて、光の出力レベルを変更してもよい。
【０１２８】
これにより、所定回数以上の呼出信号の場合は、着信音だけでなく光の出力レベルを下げるので、ユーザが留守であった場合、留守であることを近所に気づかれることがなく、防犯性を上げることができる。
【０１２９】
また、光出力制御部２２７は、例えば、呼出信号を受信する度に、異なる点滅パターンで光出力部１０２から光を出力してもよい。具体的には、記憶部２３０は、例えば、現在の点滅パターンの種類を記憶する。光出力制御部２２７は、例えば、１回の着信に対する最初の呼出信号の呼出信号を受信したときに、光データ取得部２２６により取得された着信音に応じた点滅パターンを現在の点滅パターンに設定し、光出力部１０２からその点滅パターンを出力する。以降、光データ取得部２２６は、例えば、呼出信号の受信の度、すなわち各呼出信号のオン期間の始まりのタイミングで、現在の点滅パターンとは異なる点滅パターンを光出力部１０２からデータテーブル２３１から取得する。そして、光出力制御部２２７は、取得された異なる点滅パターンを現在の点滅パターンに設定し、光出力部１０２からその点滅パターンを出力する。ここで、データテーブル２３１が、複数の点滅パターンに対して各点滅パターンの速度値（周波数）をデータテーブル２３１に記憶している場合は、光データ取得部２２６は、現在の点滅パターンより速い速度値を有する点滅パターンを取得すればよい。そして、光出力制御部２２７は、現在の点滅パターンより速い点滅速度の点滅パターンの光を光出力部１０２から出力することができる。
【０１３０】
ここで、光出力制御部２２７は、上記した呼出信号の受信の度（呼出信号の立ち上がりの度）だけでなく、呼出信号の立ち下がりの度に、光の点滅パターンを変更してもよい。
【０１３１】
これにより、ユーザの視認性を向上させ、着信していることをユーザにより早く気付かせることができる。
【０１３２】
また、光制御部２２５は、例えば、音制御部２２１での着信音の出力状態に応じて、光出力部１０２からの光の点滅パターンを変えてもよい。音制御部２２１は、例えば、呼出信号を６回目に受信したときに着信音の出力レベルを下げたことを光制御部２２５に通知する。そして、光制御部２２５は、そのタイミングで、異なる点滅パターンを光データ取得部２２６に取得させ、光出力制御部２２７に光出力部１０２から異なる点滅パターンで光を出力させる。
【０１３３】
これにより、所定回数以上の呼出信号のときに、防犯性を上げるために着信音レベルを下げた場合であっても、光出力部１０２からの点滅パターンを変えることにより、ユーザは着信に気づき易くなる。
【０１３４】
また、音制御部２２１と光制御部２２５が同期して動作してもよい。音制御部２２１は、例えば、光制御部２２５での光の出力状態に応じて、音出力部１０１からの着信音の出力を変えてもよい。光制御部２２５は、具体的には、光データ取得部２２６が現在の点滅パターンとは異なる点滅パターンを取得し、光出力制御部２２７が光出力部１０２から異なる点滅パターンで光の出力を行ったことを、音制御部２２１に通知する。そして、音制御部２２１は、そのタイミングで、音出力制御部２２３に着信音の出力レベルを上げて出力させる。つまり、速い点滅速度の点滅パターンに合った着信音を出力することができる。
【０１３５】
なお、本発明は、上述した実施の形態及び変形例に限定されるものではなく変形可能であり、上記の構成は、実質的に同一の構成、同一の作用効果を奏する構成又は同一の目的を達成することができる構成で置き換えることができる。
【符号の説明】
【０１３６】
１００  通話装置、１０１  音出力部、１０２  光出力部、１０３  受話器、１０４  表示部、１０５  キー入力部、２０１  電話網、２１０  通信部、２１１  信号受信部、２２０  制御部、２２１  音制御部、２２２  音データ取得部、２２３  音出力制御部、２２５  光制御部、２２６  光データ取得部、２２７  光出力制御部、２３０  記憶部、２４０  出力部、２５０  入力部、２５１  音声入力部
【図１】
2020113946.tif 000003
【図２】
2020113946.tif 000004
【図３】
2020113946.tif 000005
【図４】
2020113946.tif 000006
【図５】
2020113946.tif 000007
【図６】
2020113946.tif 000008
【図７】
2020113946.tif 000009
【図８】
2020113946.tif 000010
【図９】
2020113946.tif 000011